(57)【特許請求の範囲】
【請求項１】
枠体（１）内に弾性チューブよりなる模擬血管（２）を配置し、前記模擬血管（２）を模擬筋肉層（３）で覆った注射練習器具において、前記模擬筋肉層（３）が、前記枠体（１）の底部に配置したポリウレタンゲル材製の下層模擬筋肉層（３１）と、ポリウレタン材製の袋状体（３３）内にポリウレタンゲル材製の充填物（３４）を充填してなる上層模擬筋肉層（３２）とよりなり、前記下層模擬筋肉層（３１）と前記上層模擬筋肉層（３２）との間に前記模擬血管（２）を配置したことを特徴とする注射練習器具。
【請求項２】
前記模擬血管（２）がポリウレタン材製であることを特徴とする請求項１記載の注射練習器具。
【請求項３】
前記枠体（１）が不透明であることを特徴とする請求項１または請求項２記載の注射練習器具。
【請求項４】
前記枠体（１）が透明であることを特徴とする請求項１または請求項２記載の注射練習器具。
【請求項５】
前記ポリウレタンゲル材の硬度がＪＩＳＡ０〜２０度であることを特徴とする請求項１から請求項４のいずれか１項に記載の注射練習器具。
【請求項６】
前記模擬血管（２）と前記模擬筋肉層（３）とがポリウレタンゲル材により固着されていることを特徴とする請求項１から請求項５のいずれか１項に記載の注射練習器具。
【請求項７】
前記袋状体（３３）の材質硬度がＪＩＳＡ８０〜９５度であることを特徴とする請求項１から請求項６のいずれか１項に記載の注射練習器具。
【発明の詳細な説明】
【技術分野】
【０００１】
本発明は、注射練習器具に関する。
また、本発明は、より実際に近い状態で注射操作の練習が可能な注射練習器具に関する。
更に、本発明は、針刺しの耐久性に優れる注射練習器具に関する。
更にまた、本発明は、人により異なる皮膚の厚さや硬さ、更には皮下脂肪、筋肉の状態を容易に実現可能な注射練習器具に関する。
【背景技術】
【０００２】
従来、第四図に示す注射練習器具が知られている。
この種注射練習器具は、台１００と、この台１００の上面に配置された模擬筋肉層３００と、この模擬筋肉層３００内に埋設された弾性チューブよりなる模擬血管２００とより構成されている。
この種注射練習器具の模擬筋肉層３００および模擬血管２００はシリコーン材が使用されている。
シリコーン材は低硬度で人体の感触に近い材料であるが、材料強度が弱いため繰り返し使用すると、早期に損傷してしまう欠点を有していた。
この様な注射練習器具として、実開平６−４７６８号公報に示される注射練習器具が知られている。
【０００３】
【特許文献１】特開平１０−１６１５２２号公報
【特許文献２】実開平６−４７６８号公報
【発明の開示】
【発明が解決しようとする課題】
【０００４】
しかしながら、上述した第四図に示す注射練習器具では、シリコーン材は低硬度で人体の感触に近い材料であるが、材料強度が弱いため繰り返し使用すると、早期に損傷してしまう欠点を有していた。
また、模擬血管２００は模擬筋肉層３００内に一体的に埋設されているため、血管の太さや、筋肉の硬さや厚さに応じた各種の人体を再現することが困難であった。
【０００５】
本発明は、このような課題に鑑みてなされたものであり、従来の注射練習器具の材料として、ポリウレタンを使用することにより、長期間の使用に耐える注射練習器具を提供することである。
【０００６】
また、本発明は、従来の注射練習器具に比べ、実際の人体により近い感触を与える注射練習器具を提供することを目的とする。
また、本発明は、下層模擬筋肉層と上層模擬筋肉層との間に模擬血管を配置した構成としているため、血管の太さや、筋肉の硬さや厚さに応じた各種の人体を再現することが、容易に可能な注射練習器具を提供することを目的とする。
【課題を解決するための手段】
【０００７】
本発明の注射練習器具は、  枠体内に弾性チューブよりなる模擬血管を配置し、前記模擬血管を模擬筋肉層で覆った注射練習器具において、前記模擬筋肉層が、前記枠体の底部に配置したポリウレタンゲル材製の下層模擬筋肉層と、ポリウレタン材製の袋状体内にポリウレタンゲル材製の充填物を充填してなる上層模擬筋肉層とよりなり、前記下層模擬筋肉層と前記上層模擬筋肉層との間に前記模擬血管を配置したことを特徴としている。
【０００８】
本発明の注射練習器具によれば、模擬血管がポリウレタン材製であることにより、実際の血管に近い感触が得られると同時に、繰り返し注射針を刺しても損傷することが無い。
【０００９】
本発明の注射練習器具によれば、枠体が不透明であることから、練習者が模擬血管を見づらくなるため、実際の操作に近い形が再現できる。
【００１０】
本発明の注射練習器具によれば、枠体が透明であることから、注射針が模擬血管に入ったか否かを確認することが容易になる。
【００１１】
本発明の注射練習器具によれば、ポリウレタンゲル材の硬度がＪＩＳＡ０〜２０度であることから、より実際の筋肉に近い感触が得られる。
【００１２】
本発明の注射練習器具によれば、模擬血管と模擬筋肉層とがポリウレタンゲル材により固着されているので、模擬血管と模擬筋肉層とが実際の人体に近い形で保持されるとともに、模擬血管と模擬筋肉層とを容易に分離し、各種組み合わせが可能なため、血管の太さや、筋肉の硬さや厚さに応じた各種の人体を再現することができる。
【００１３】
本発明の注射練習器具によれば、袋状体の材質硬度がＪＩＳＡ８０〜９５度、好ましくはＪＩＳＡ８５〜９０度であることから、実際の人体の皮膚感覚が得られる。
【発明の効果】
【００１４】
本発明は、以下に記載されるような効果を奏する。
請求項１記載の発明の注射練習器具によれば、長期間の使用に耐える注射練習器具を提供することができる。そして、下層模擬筋肉層と上層模擬筋肉層との間に模擬血管を配置する構成としているため、その模擬血管が実際の血管の動き、即ち、注射針を刺した際に、模擬血管が左右に逃げる状態を忠実に再現できる。
また、請求項２記載の発明の注射練習器具によれば、模擬血管がポリウレタン材製であることにより、実際の血管に近い感触が得られると同時に、繰り返し注射針を刺しても損傷することが無い。
【００１５】
更に、請求項３記載の発明の注射練習器具によれば、枠体が不透明であることから、練習者が模擬血管を見づらくなるため、実際の操作に近い形が再現できる。
更に、請求項４記載の発明の注射練習器具によれば、枠体が透明であることから、注射針が模擬血管に入ったか否かを確認することが容易になる。
また、請求項５記載の発明の注射練習器具によれば、ポリウレタンゲル材の硬度がＪＩＳＡ０〜２０度であることから、より実際の筋肉に近い感触が得られる。
【００１６】
更に、請求項６記載の発明の注射練習器具によれば、模擬血管と模擬筋肉層とが実際の人体に近い形で保持されるとともに、模擬血管と模擬筋肉層とを容易に分離し、各種組み合わせが可能なため、血管の太さや、筋肉の硬さや厚さに応じた各種の人体を再現することができる。
更に、請求項７記載の発明の注射練習器具によれば、実際の人体の皮膚感覚が得られる。
【発明を実施するための最良の形態】
【００１７】
以下、本発明を実施するための最良の形態について説明する。
第一図乃至第三図に基づき発明を実施するための最良の形態について説明する。
この種注射練習器具は、ポリプロピレン製の透明な枠体１内にポリウレタン材製の弾性チューブよりなる模擬血管２が配置されている。材質はポリプロピレン製に限らず、熱硬化性樹脂、熱硬化性樹脂、金属等が適宜用いられる。
透明な枠体１としているので、注射針が模擬血管に入ったか否かを確認することが容易になる。図上、注射器４の針が模擬血管２に刺さった状態を示している。
一方、不透明な枠体１とした場合は練習者が模擬血管を見づらくなるため、実際の操作に近い形が再現できる利点がある。
透明な枠体１とするか不透明な枠体１とするかは、その練習段階に応じて適宜選択して用いられる。
【００１８】
また、模擬血管２は、直径３ミリメートルの中空体で、両端は閉じている。内部には、模擬血液として、赤色、紫色あるいは橙色等の実際の血液に類似した色調を持たせておくことが好ましい。模擬血管２の材質としては、ポリウレタンが好ましいが、天然ゴム、ＥＰＤＭ，低密度ポリエチレン、ブチルゴム、アクリルゴム、シリコンゴム等が適宜選択して用いられる。模擬血管２の外径および肉厚は、訓練対象となる血管に応じて適宜選択して用いられる。
そして、模擬血管２は半流動性を有するポリウレタンゲル材製の模擬筋肉層３で覆われている。
【００１９】
このポリウレタンゲル材の硬度は、ＪＩＳＡ硬度で１０であるが、ＪＩＳＡ硬度０〜２０のものが適宜選択的に用いられる。
この模擬筋肉層３は、枠体１の底部に配置したポリウレタンゲル材製の下層模擬筋肉層３１と、ポリウレタン材製の袋状体３３内にポリウレタンゲル材製の充填物３４を充填してなる上層模擬筋肉層３２とよりなりなっている。
【００２０】
そして、下層模擬筋肉層３１と上層模擬筋肉層３２との間に模擬血管２を配置する構成としている。この袋状体３３は、実際の皮膚の感覚に近付けるため、厚さは０．０２ミリメートル〜２ミリメートルで、ＪＩＳＡ硬度９０〜９５のものが適宜選択して用いられる。
また、模擬血管２と模擬筋肉層３とがポリウレタンゲル材により分離可能に固着されている。
【００２１】
以上のことから、本発明を実施するための最良の形態によれば、実際の血管に近い感触が得られると同時に、繰り返し注射針を刺しても損傷することが無い。
【００２２】
また、本発明は上述の発明を実施するための最良の形態に限らず本発明の要旨を逸脱することなくその他種々の構成を採り得ることはもちろんである。
【図面の簡単な説明】
【００２３】
【図１】注射練習器具にかかる発明の実施の形態を示す平面図である。
【図２】第１図のＡ−Ａ断面図である。
【図３】第１図のＢ−Ｂ断面図である。
【図４】注射練習器具にかかる従来技術にかかる形態を示す断面図である。
【符号の説明】
【００２４】
１‥‥枠体
２‥‥模擬血管
３‥‥模擬筋肉層
４‥‥注射器
３１‥‥下層模擬筋肉層
３２‥‥上層模擬筋肉層
３３‥‥袋状体
３４‥‥充填物
【図１】
0004618509.tif 000002
【図２】
0004618509.tif 000003
【図３】
0004618509.tif 000004
【図４】
0004618509.tif 000005